(57)【要約】      （修正有）【課題】化粧板１枚づつの調整および固定するための作業もなく組み立てることができ、なおかつ支保工の撤去および廃材処理がなく、工期短縮ができる化粧板および型枠板の組立工法とそのための接続装置を提供する。【解決手段】接続装置２にリップみぞ形鋼９と隙間なく接続するための伸縮可能なゴムまたはらせん状のバネ８を設け、化粧板１を１枚づつの調整および固定する作業をなくす。また化粧板１裏面で支保工をコンクリート内部に埋め込むことができ、支保工の撤去および廃材処理をなくすことができる。化粧板として用いる場合は建築構造物にリップみぞ形鋼９をアンカー等で固定し、化粧板１裏面の接続装置２をリップみぞ形鋼９の上部よりはめ込み組み立てる。残存型枠化粧板として用いる場合は、垂直方向にリップみぞ形鋼９を所定の間隔でＬアングルに溶接し化粧板１裏面の接続装置２をはめ込んで支保工を組み立てる。【選択図】図１
2006090103.tif 000002
【特許請求の範囲】
【請求項１】
化粧板の裏面に埋め込んだボルトに座金とナットを設置し、次に中央にボルトより少し大きめの穴をあけた伸縮可能なゴムまたはらせん状のバネを受けるための金属板をボルトに入れ、次いで円筒をボルトに入れ次いで中央に円筒より少し大きめの穴のあいた伸縮可能なゴムまたはらせん状のバネを設置し、次に縦の長さが円筒より少し大きめで横移動が可能な横長の穴のあいたリップみぞ形鋼の幅より少し大きめで両端を曲げた金属板を設置し、次いで中央に円筒より少し大きめで横移動可能な横長の穴をあけた下方部分に、化粧板の方向の逆に曲げたリップみぞ形鋼の内寸法より少し小さな金属板をボルトに通して、ワッシャーおよびナットで固定した接続装置であり、リップみぞ形鋼にはめ込むだけで上下左右の調整が簡単にでき、さらに伸縮可能なゴムまたはらせん状のバネを使用することにより耐震性があり、ゆるみなく接続できるのを特徴とする化粧板裏面の接続装置。
【請求項２】
化粧を要する建築構造物に垂直方向に所定の角度にリップみぞ形鋼をアンカー等で固定し、化粧板裏面の接続装置のリップみぞ形鋼の幅より少し大きめで両端を曲げた金属板と、下方部分に化粧版の方向の逆に曲げたリップみぞ形鋼の内寸法より少し小さな金属板の間を垂直方向のリップみぞ形鋼にはめ込むだけで所定の角度および出入りができる化粧板の組立工法。
【請求項３】
化粧を要する建築構造物を造るため、型枠材としての組立方法は垂直方向のリップみぞ形鋼を支保工として所定の角度に設置して、化粧板裏面の接続装置のリップみぞ形鋼の幅より少し大きめで両端を曲げた金属板と、下方部分に化粧板の方向の逆に曲げたリップみぞ形鋼の内寸法より少し小さな金属板の間を垂直方向のリップみぞ形鋼にはめ込むだけで所定の角度の仕上がりができる残存化粧型枠板としての組立工法。
【発明の詳細な説明】
【技術分野】
【０００１】  本発明は、コンクリート壁面などの建築構造物に使用される化粧板および型枠板の組立方法に関するものである。
【背景技術】
【０００２】  従来より建築構造物に使用する化粧板として、石の場合の組立方法としては、１枚の石に対して２個以上のＬ型の金物をコンクリート躯体にアンカーで固定して、石の厚みの中央に垂直に小さなダボ穴を掘り、固定されたＬ型の金物とダボピンで１枚づつ倒れおよび出入りをボルトおよびナットを数ヶ所調整しながら取り付ける組立工法が広く知られている。【０００３】  建築構造物に使用する型枠板の組立工法としては、型枠板に穴を貫通させ、セパレーターを貫通した穴に通して型枠板を鋼管等で補強して、外部よりセパレーターをナット等で締めつけ、型枠板をサポートおよび鎖等で外部より倒れなどを固定しコンクリート打設、養生、型枠解体、撤去そしてその後化粧板を取付ける工法が広く知られている。
【発明が解決しようとする課題】
【０００４】  上記のように従来における化粧板として石の場合の組立工法は、石の１枚づつに、アンカーによるＬ型金物の固定、ダボ穴加工、Ｌ型金物と接着剤をダボ穴に注入しダボピンで倒れおよび出入りの調整と複数の工程を要する組立工法である。
【０００５】  そのため従来における化粧板としての組立工法は施工速度が遅く、また熟練工が不可欠な条件となる。
【０００６】  また従来における型枠板としての組立工法はコンクリートの建築構造物を形成するための型枠板としているので型枠板外部より固定し、コンクリート打設後の型枠の解体および鋼管、サポート、鎖の撤去作業が必要不可欠な条件となる。
【０００７】  そのため型枠の解体作業後はコンクリートの建築構造物となり、化粧が必要な場合は別途化粧板が必要となる。
【課題を解決するための手段】
本発明は従来における化粧板の組立工法および型枠板の組立工法の上記のような問題点を解消して、化粧板の組立工法および型枠板の組立工法であっても支保工となるリップみぞ形鋼を化粧板内部に所定の角度で固定することにより化粧板１枚づつの調整もなく化粧板裏面のボルトに取り付けた接続装置をリップみぞ形鋼にはめ込むだけでできる組立工法の提供を目的としたものである。
【０００８】  本発明の請求項１は化粧板の接続装置に関するものであり、その具体的手段としては、化粧板の裏面に埋め込んだボルトに座金とナットを設置し、次に中央にボルトより少し大きめの穴をあけた伸縮可能なゴムまたはらせん状のバネを受けるための金属板をボルトに入れ、次いで円筒をボルトに入れ次いで中央に円筒より少し大きめの穴のあいた伸縮可能なゴムまたはらせん状のバネを設置し、次に縦の長さが円筒より少し大きめで横移動が可能な横長の穴のあいたリップみぞ形鋼の幅より少し大きめで両端を曲げた金属板を設置し、次いで中央に円筒より少し大きめで横移動可能な横長の穴をあけた下方部分に、化粧板の方向の逆に曲げたリップみぞ形鋼の内寸法より少し小さな金属板をボルトに通して、ワッシャーおよびナットで固定した接続装置であり、リップみぞ形鋼にはめ込むだけで上下左右の調整が簡単にでき、さらに伸縮可能なゴムまたはらせん状のバネを使用することにより耐震性があり、ゆるみなく接続できるのを特徴とするものである。
【０００９】  請求項２の発明は建築構造物に化粧材を取り付ける工法に関するものであり、化粧を要する建築構造物に垂直方向に所定の角度にリップみぞ形鋼をアンカー等で固定し、化粧板裏面の接続装置のリップみぞ形鋼の幅より少し大きめで両端を曲げた金属板と、下方部分に化粧版の方向の逆に曲げたリップみぞ形鋼の内寸法より少し小さな金属板の間を垂直方向のリップみぞ形鋼にはめ込むだけで仕上がりが所定の角度および出入りができるのを特徴とするものである。
【００１０】  請求項３の発明は化粧を要する建築構造物を造るための型枠に関するものであり、具体的な手段として化粧を要する建築構造物を造るため、型枠材としての組立方法は垂直方向のリップみぞ形鋼を支保工として所定の角度に設置して、化粧板裏面の接続装置のリップみぞ形鋼の幅より少し大きめで両端を曲げた金属板と、下方部分に化粧板の方向の逆に曲げたリップみぞ形鋼の内寸法より少し小さな金属板の間を垂直方向のリップみぞ形鋼にはめ込むだけで所定の角度の仕上がりができる残存化粧型枠板としての組立工法であり、化粧板裏面の接続装置の伸縮可能なゴムまたはらせん状のバネによりリップみぞ形鋼と隙間なく接続できるため、１枚づつの調整もなく化粧板裏面の接続装置をリップみぞ形鋼にはめるだけで簡単に組立でき、垂直方向の支保工となるリップみぞ形鋼をコンクリート内部に埋め込むことによりコンクリート打設後の型枠解体作業および撤去作業がなくなるのを特徴とするものである
【作用】
【００１１】  本発明では垂直方向の所定の角度に設置したリップみぞ形鋼を支保工として化粧板裏面の接続装置をリップみぞ形鋼にはめ込み、化粧型枠材としての組立工法であり、化粧板裏面の接続装置の伸縮可能なゴムまたはらせん状のバネによりリップみぞ形鋼と隙間なく接続できるため、リップみぞ形鋼が所定の角度に設置してあるため、１枚づつの調整もなく化粧板裏面の接続装置をリップみぞ形鋼にはめるだけで簡単に組立でき、所定の角度に仕上がりができる。従ってこの工法によれば熟練工でなくても化粧板裏面の接続装置をリップみぞ形鋼にはめるだけで１枚づつの調整もなく簡単に組立でき、コストの削減ができる。化粧板裏面の接続装置および支保工となるリップみぞ形鋼が化粧板の裏面にあるため、養生、型枠解体、撤去、そして化粧板の取付け等の工程をなくすことができ、工期短縮によるコストの削減ができる。またコンクリート打設にも内部に埋めることができ表面は化粧板だけにすることができる。
【発明を実施するための最良の形態】
【００１２】  次に本発明に係る化粧板および残存化粧型枠板の組立工法を図面に示す実施例について説明すると、図１、図２は化粧板１裏面の接続装置２を示しているがまず化粧板１に埋め込まれたボルト３にワッシャー４を入れ、ナット５を廻し固定ナる。
次に中央にボルト３より少し大きめの穴をあけた金属板６をボルト３に入れ、次いで円筒７をボルト３に入れ、次いで中央に円筒７より少し大きめの穴のあいた伸縮可能なゴムまたはらせん状のバネ８を設置し、次に中央に円筒７より少し大きめの穴のあいたリップみぞ形鋼９より少し大きめで両端を曲げた金属板１０を設置し、次いで中央にボルト３より少し大きめの穴をあけた下方部分に化粧板１の方向の逆に曲げたリップみぞ形鋼９の内寸法より少し小さな金属板１１をボルト３に通して、ワッシャー４を入れナット５を廻して固定して接続装置を形成する。図３に示すように化粧板１に対して接続装置２を４ヶ所取り付ける。【００１３】  化粧を要する建築構造物に化粧材として用いる場合は図４、図５に示すように建築構造物に垂直方向にリップみぞ形鋼９を所定の間隔で同じ通り、同じ角度になるようにコンクリート等１２に随時アンカー１３で固定する。次に化粧板１裏面の接続装置２をリップみぞ形鋼９の上部よりはめ込み組み立てる。リップみぞ形鋼９等の施工上の誤差は両端を曲げた金属板１０と下方部分を曲げた金属板１１に横移動可能な横長の穴があいているので調整できる。【００１４】  残存型枠化粧板として用いる場合は図６、図７に示すようにはじめにＬアングル等Ａ１４をコンクリート打設時に所定の間隔で基礎コンクリート１５に埋め込む。次いでＬアングル等Ｂ１６を通りに合わせてアンカー等１３で固定する。次にＬアングル等Ｃ１７を水平方向にＬアングル等Ａ１４に溶接する。次いでＬアングル等Ｄ１８を通りに合わせてＬアングル等Ｃ１７に溶接し固定する。次ぎに垂直方向にリップみぞ形鋼９を所定の間隔でＬアングル等Ｂ１６とＬアングル等Ｄ１８に溶接し固定して支保工を形成する。【００１５】  この状態でリップみぞ形鋼９が通りおよび角度を固定するようになり、化粧板１裏面の接続装置２をリップみぞ形鋼９の上部よりはめ込むだけで所定の通りおよび角度を維持しながら簡単に組立できる。【００１６】  裏型枠１９が必要な場合は、Ｌアングル等Ａ１４にセパレーター２０を溶接し、裏型枠を取り付けコンクリート２１を打設する。
【発明の効果】
【００１７】  化粧板裏面の接続装置についての発明は、両端を曲げた金属板と下方部分に化粧板方向の逆方向に曲げた金属板により、リップみぞ型鋼により簡単にはめることができる。
【００１８】  化粧板裏面の接続装置についた金属板と両端を曲げた金属板の間に伸縮可能なゴムまたはらせん状のバネを入れることにより、両端を曲げた金属板と下方部分を化粧板方向の逆に曲げた金属板がリップみぞ型鋼を押し続けるので組立時にブレーキとなり安全に組立できる。
【００１９】  また両端を曲げた金属板と下方部分を化粧板方向の逆に曲げた金属板がリップみぞ形鋼を押し続けるので、化粧板裏面の接続装置がリップみぞ形鋼と隙間なく簡単に所定の位置に接続できる。
【００２０】  さらに建築構造物に化粧板を取り付ける工法としては、リップみぞ形鋼を所定の間隔で同じ通り同じ角度にアンカー等で固定することにより、化粧板裏面の接続装置がリップみぞ形鋼と隙間なく所定の位置に接続するためにリップみぞ形鋼と化粧板裏面までの間隔が一定となるため、化粧板裏面の接続装置をリップみぞ形鋼にはめ込むだけで化粧板の通りおよび角度は同じにできるため、１枚づつの調整もなく簡単に組立できる。
【００２１】  また残存型枠として用いる場合も基礎コンクリートに埋め込んだＬアングル等の上部に水平方向にＬアングル等を溶接したものに通りを合わせたＬアングル等を溶接等で固定する。次ぎに下部には基礎コンクリートに通りを合わせたＬアングル等をアンカー等で固定する。そのため上部、下部のＬアングル等の所定の通りおよび角度を固定できる。上部、下部のＬアングル等に垂直方向に所定の間隔でリップみぞ形鋼を溶接し固定することによりリップみぞ形鋼も所定の通りおよび角度になる。化粧板裏面の接続装置がリップみぞ形鋼と隙間なく所定の位置に接続するためにリップみぞ形鋼と化粧板裏面までの間隔が一定となるため、化粧板裏面の接続装置をリップみぞ形鋼にはめ込むだけで化粧板の通りおよび角度は同じにできるため、１枚づつの調整もなく簡単に組立できる。
【００２２】  さらに基礎コンクリートに埋め込んだＬアングル等および水平方向に溶接したＬアングル、そして通りを合わせたＬアングル等、さらに垂直方向に所定の間隔で溶接し固定したリップみぞ形鋼がコンクリート打設時の支保工となることができる。
【００２３】  また化粧板裏面に支保工があるためコンクリート打設内部になり、支保工が鉄筋の役目もするので構造的に強い建築構造物ができる。
さらに支保工の撤去作業もなくなり工期の短縮および廃材処理もなくすことができる。
また化粧板を型枠材とすることにより美しい建築構造物ができる。
【図面の簡単な説明】
【００２４】
【図１】本発明の化粧板裏面の接続装置の構成を示す平面図
【図２】本発明の化粧板裏面の接続装置の構成を示す姿図
【図３】化粧板裏面に接続装置を取り付けた裏面図
【図４】化粧板裏面の接続装置とリップみぞ形鋼の構成を示す正面図
【図５】化粧板裏面の接続装置とリップみぞ形鋼の構成を示す側面図
【図６】残存化粧型枠板の構成を示す正面図
【図７】残存化粧型枠板の構成を示す側面図
【符号の説明】
【００２５】１：化粧板
２：接続装置
３：ボルト
４：ワッシャー
５：ナット
６：金属板
７：円筒
８：伸縮可能なゴムまたはらせん状のバネ
９：リップみぞ形鋼
１０：両端を曲げた金属板
１１：下方部分を化粧板方向の逆に曲げた金属板
１２：コンクリート等
１３：アンカー
１４：アングル等Ａ
１５：基礎コンクリート
１６：アングル等Ｂ
１７：アングル等Ｃ
１８：アングル等Ｄ
１９：裏型枠
２０：セパレーター
２１：コンクリート
【図１】
2006090103.tif 000003
【図２】
2006090103.tif 000004
【図３】
2006090103.tif 000005
【図４】
2006090103.tif 000006
【図５】
2006090103.tif 000007
【図６】
2006090103.tif 000008
【図７】
2006090103.tif 000009